(57)【特許請求の範囲】
【請求項１】
キャリア・アグリゲーション・システムにおける、キャリアコンフィギュレーション及びアクティベーションのための基地局によって実行される方法であって、
少なくとも１つの追加キャリアを構成するための第１の信号をユーザ装置（ＵＥ）に送信するステップであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされる、ステップと；
アクティベーション指示を伝える第２の信号であって、前記構成された追加キャリアの少なくとも１つのデアクティベートされた追加キャリアをアクティベートするように前記ＵＥに指示するための第２の信号をＵＥに送信するステップと；
前記少なくとも１つのデアクティベートされた追加キャリアをアクティベートし、かつ前記アクティベートされた追加キャリア上で、物理ダウンリンク制御チャネル（ＰＤＣＣＨ）のモニタリング及び物理ダウンリンク共有チャネル（ＰＤＳＣＨ）の受信を開始するように制御するステップと；
前記ＵＥのために前記アクティベートされた追加キャリアに対して、複数のキャリアのうちの１つのキャリア上で前記タイマをリスタートさせるのに用いられるＰＤＣＣＨを送信するステップと；
対応する前記タイマの終了後に、前記アクティベートされた追加キャリアをデアクティベートさせ、かつ前記デアクティベートされた追加キャリア上で、前記ＰＤＣＣＨのモニタリング及び前記ＰＤＳＣＨの受信を停止するように制御するステップと；
を有する方法。
【請求項２】
キャリア・アグリゲーション・システムにおいて、キャリアアクティベーションを実行するユーザ装置（ＵＥ）によって実行される方法であって、
少なくとも１つの追加キャリアを構成するための、基地局から送信された第１の信号を受信するステップであって、前記第１の信号は、前記ＵＥの追加キャリアの各々にタイマを構成し、前記キャリアは、前記タイマの終了後にデアクティベートされる、ステップと；
前記構成された追加キャリアの少なくとも１つのデアクティベートされた追加キャリアをアクティベートするように前記ＵＥに指示するための、アクティベーション指示を伝える第２の信号を受信するステップと；
前記第２の信号に従って、前記ＵＥのために構成されたキャリアの少なくとも１つのデアクティベートされた追加キャリアをアクティベートし、かつ前記アクティベートされた追加キャリア上で、ＰＤＣＣＨのモニタリング及びＰＤＳＣＨの受信を開始するステップと；
前記ＵＥのために前記アクティベートされた追加キャリアに対して、複数のキャリアのうちの１つのキャリア上でのＰＤＣＣＨに応じて、前記タイマをリスタートさせるステップと；
対応する前記タイマの終了後に前記アクティベートされた追加キャリアをデアクティベートし、前記デアクティベートされた追加キャリア上で前記ＰＤＣＣＨのモニタリング及び前記ＰＤＳＣＨの受信を停止するステップと；
を有する方法。
【請求項３】
キャリア・アグリゲーション・システムにおいて、キャリアアクティベーションを実行する基地局であって：
少なくとも１つの追加キャリアを構成するための第１の信号をユーザ装置（ＵＥ）に送信する送信ユニットであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号をＵＥに送信する、送信ユニットと；
前記少なくとも１つのデアクティベートされた追加キャリアをアクティベートし、かつ前記アクティベートされたキャリア上でＰＤＣＣＨのモニタリング及びＰＤＳＣＨの受信を開始するように制御する、アクティベーション処理ユニットと；
対応する前記タイマの終了後に、前記アクティベートされた追加キャリアをデアクティベートさせ、前記デアクティベートされたキャリア上で前記ＰＤＣＣＨのモニタリング及び前記ＰＤＳＣＨの受信を停止するよう制御する、デアクティベーション処理ユニットと；
を有し、
当該基地局は、前記ＵＥのために前記アクティベートされた追加キャリアに対して、複数のキャリアのうちの１つのキャリア上で前記タイマをリスタートさせるのに用いられるＰＤＣＣＨを送信する、
基地局。
【請求項４】
キャリア・アグリゲーション・システムにおける、ユーザ装置（ＵＥ）であって：
少なくとも１つの追加キャリアを構成する、基地局から送信された第１の信号を受信し、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号を受信する、受信ユニットと：
前記第２の信号に従って、前記ＵＥのための構成されたキャリアの少なくとも１つのデアクティベートされた追加キャリアをアクティベートし、かつ前記アクティベートされた追加キャリア上で、ＰＤＣＣＨのモニタリング及びＰＤＳＣＨの受信を開始する、アクティベーション処理ユニットと；
対応する前記タイマの終了後に少なくとも１つのアクティベートされた追加キャリアをデアクティベートし、前記デアクティベートされた追加キャリア上で前記ＰＤＣＣＨのモニタリング及びＰＤＳＣＨの受信を停止する、デアクティベーション処理ユニットと；
を有し、
前記ＵＥのために前記アクティベートされた追加キャリアに対して、複数のキャリアのうちの１つのキャリア上でのＰＤＣＣＨに応じて、前記ＵＥは前記タイマをリスタートさせる、
ユーザ装置。
【請求項５】
キャリア・アグリゲーションを利用して通信が実行される通信システムであって：
基地局と；
ユーザ装置と；
を有し、
前記基地局は、
少なくとも１つの追加キャリアを構成するための第１の信号をユーザ装置（ＵＥ）に送信する送信ユニットであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号をＵＥに送信する、送信ユニットと；
前記少なくとも１つのデアクティベートされた追加キャリアをアクティベートし、かつ前記アクティベートされた追加キャリア上でＰＤＣＣＨのモニタリング及びＰＤＳＣＨの受信を開始するよう制御する、アクティベーション処理ユニットと；
対応する前記タイマの終了後に、前記アクティベートされた追加キャリアをデアクティベートさせ、かつ前記デアクティベートされた追加キャリア上でＰＤＣＣＨのモニタリング及びＰＤＳＣＨの受信を停止するよう制御する、デアクティベーション処理ユニットと；
を有し、
前記基地局は、前記ＵＥのために前記アクティベートされた前記追加キャリアに対して、複数のキャリアのうちの１つのキャリア上で前記タイマをリスタートさせるのに用いられるＰＤＣＣＨを送信し、
前記ＵＥは、
前記第１の信号を受信し、かつ、前記第１の信号は、前記ＵＥの追加キャリアの各々に前記タイマを構成し、前記キャリアは、前記タイマの終了後にデアクティベートされ、かつ、前記第２の信号を受信する、受信ユニットと；
前記第２の信号に従って、前記ＵＥのための構成されたキャリアの少なくとも１つのデアクティベートされた追加キャリアをアクティベートし、かつ前記アクティベートされた追加キャリア上で、前記ＰＤＣＣＨのモニタリング及びＰＤＳＣＨの受信を開始する、アクティベーション処理ユニットと；
前記対応するタイマの終了後に少なくとも１つのアクティベートされた追加キャリアをデアクティベートし、前記デアクティベートされた追加キャリア上の前記ＰＤＣＣＨのモニタリング及びＰＤＳＣＨの受信を停止する、デアクティベーション処理ユニットと；
を有し、
前記ＵＥのために前記アクティベートされた追加キャリアに対して、複数のキャリアのうちの１つのキャリア上でのＰＤＣＣＨに応じて、前記ＵＥは前記タイマをリスタートさせる、
通信システム。
【請求項６】
キャリア・アグリゲーション・システムにおける、キャリアコンフィギュレーション及びアクティベーションのための基地局によって実行される方法であって、
少なくとも１つの追加キャリアを構成するための第１の信号をユーザ装置（ＵＥ）に送信するステップであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされる、ステップと；
アクティベーション指示を伝える第２の信号であって、前記構成された追加キャリアの少なくとも１つのデアクティベートされた追加キャリアをアクティベートするように前記ＵＥに指示するための第２の信号をＵＥに送信するステップと；
前記少なくとも１つのデアクティベートされた追加キャリアをアクティベートし、かつ前記アクティベートされた追加キャリア上で、物理ダウンリンク制御チャネル（ＰＤＣＣＨ）のモニタリング及び物理ダウンリンク共有チャネル（ＰＤＳＣＨ）の受信を開始するように制御するステップと；
前記ＵＥのために前記アクティベートされた追加キャリア上で前記タイマをリスタートさせるのに用いられるＰＤＣＣＨを送信するステップと；
対応する前記タイマの終了後に、前記アクティベートされた追加キャリアをデアクティベートさせ、かつ前記デアクティベートされた追加キャリア上で、前記ＰＤＣＣＨのモニタリング及び前記ＰＤＳＣＨの受信を停止するように制御するステップと；
を有する方法。
【請求項７】
キャリア・アグリゲーション・システムにおいて、キャリアアクティベーションを実行するユーザ装置（ＵＥ）によって実行される方法であって、
少なくとも１つの追加キャリアを構成するための、基地局から送信された第１の信号を受信するステップであって、前記第１の信号は、前記ＵＥの追加キャリアの各々にタイマを構成し、前記キャリアは、前記タイマの終了後にデアクティベートされる、ステップと；
前記構成された追加キャリアの少なくとも１つのデアクティベートされた追加キャリアをアクティベートするように前記ＵＥに指示するための、アクティベーション指示を伝える第２の信号を受信するステップと；
前記第２の信号に従って、前記ＵＥのために構成されたキャリアの少なくとも１つのデアクティベートされた追加キャリアをアクティベートし、かつ前記アクティベートされた追加キャリア上で、前記ＰＤＣＣＨのモニタリング及びＰＤＳＣＨの受信を開始するステップと；
前記ＵＥのための前記アクティベートされた追加キャリア上でのＰＤＣＣＨに応じて、前記タイマをリスタートさせるステップと；
対応する前記タイマの終了後に前記アクティベートされた追加キャリアをデアクティベートし、前記デアクティベートされた追加キャリア上で前記ＰＤＣＣＨのモニタリング及び前記ＰＤＳＣＨの受信を停止するステップと；
を有する方法。
【請求項８】
キャリア・アグリゲーション・システムにおいて、キャリアアクティベーションを実行する基地局であって：
少なくとも１つの追加キャリアを構成するための第１の信号をユーザ装置（ＵＥ）に送信する送信ユニットであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号をＵＥに送信する、送信ユニットと；
前記少なくとも１つのデアクティベートされた追加キャリアをアクティベートし、かつ前記アクティベートされた追加キャリア上でＰＤＣＣＨのモニタリング及びＰＤＳＣＨの受信を開始するように制御する、アクティベーション処理ユニットと；
対応する前記タイマの終了後に、前記アクティベートされた追加キャリアをデアクティベートさせ、前記デアクティベートされた追加キャリア上で前記ＰＤＣＣＨのモニタリング及び前記ＰＤＳＣＨの受信を停止するよう制御する、デアクティベーション処理ユニットと；
を有し、
当該基地局は、前記ＵＥのための前記追加キャリア上で前記タイマをリスタートさせるのに用いられるＰＤＣＣＨを送信する、
基地局。
【請求項９】
キャリア・アグリゲーション・システムにおける、ユーザ装置（ＵＥ）であって：
少なくとも１つの追加キャリアを構成する、基地局から送信された第１の信号を受信し、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号を受信する、受信ユニットと：
前記第２の信号に従って、前記ＵＥのための構成されたキャリアの少なくとも１つのデアクティベートされた追加キャリアをアクティベートし、かつ前記アクティベートされた追加キャリア上で、前記ＰＤＣＣＨのモニタリング及びＰＤＳＣＨの受信を開始する、アクティベーション処理ユニットと；
対応する前記タイマの終了後に少なくとも１つのアクティベートされた追加キャリアをデアクティベートし、前記デアクティベートされた追加キャリア上で前記ＰＤＣＣＨのモニタリング及びＰＤＳＣＨの受信を停止する、デアクティベーション処理ユニットと；
を有し、
前記ＵＥのための前記アクティベートされた追加キャリア上でのＰＤＣＣＨに応じて、前記ＵＥは前記タイマをリスタートさせる、
ユーザ装置。
【請求項１０】
キャリア・アグリゲーションを利用して通信が実行される通信システムであって：
基地局と；
ユーザ装置と；
を有し、
前記基地局は、
少なくとも１つの追加キャリアを構成するための第１の信号をユーザ装置（ＵＥ）に送信する送信ユニットであって、前記ＵＥにおいて前記追加キャリアがデアクティベートされており、かつ、前記第１の信号は、前記ＵＥの追加キャリアの各々にタイマを構成し、前記キャリアは、前記タイマの終了後にデアクティベートされ、かつ、前記ＵＥのための前記構成された追加キャリアの少なくとも１つのデアクティベートされた追加キャリアをアクティベートするように前記ＵＥに指示するための、アクティベーション指示を伝える第２の信号をＵＥに送信する、送信ユニットと；
前記少なくとも１つのデアクティベートされた追加キャリアをアクティベートし、かつ前記アクティベートされた追加キャリア上でＰＤＣＣＨのモニタリング及びＰＤＳＣＨの受信を開始するよう制御する、アクティベーション処理ユニットと；
対応する前記タイマの終了後に、前記アクティベートされた追加キャリアをデアクティベートさせ、かつ前記デアクティベートされた追加キャリア上でＰＤＣＣＨのモニタリング及びＰＤＳＣＨの受信を停止するよう制御する、デアクティベーション処理ユニットと；
を有し、
前記基地局は、前記ＵＥのための前記アクティベートされた追加キャリア上で前記タイマをリスタートさせるのに用いられるＰＤＣＣＨを送信し、
前記ＵＥは、
前記第１の信号を受信し、かつ、前記第１の信号は、前記ＵＥの追加キャリアの各々に前記タイマを構成し、前記キャリアは、前記タイマの終了後にデアクティベートされ、かつ、前記第２の信号を受信する、受信ユニットと；
前記第２の信号に従って、前記ＵＥのための構成されたキャリアの少なくとも１つのデアクティベートされた追加キャリアをアクティベートし、かつ前記アクティベートされた追加キャリア上で、前記ＰＤＣＣＨのモニタリング及びＰＤＳＣＨの受信を開始する、アクティベーション処理ユニットと；
前記対応するタイマの終了後に少なくとも１つのアクティベートされた追加キャリアをデアクティベートし、前記デアクティベートされた追加キャリア上の前記ＰＤＣＣＨのモニタリング及びＰＤＳＣＨの受信を停止する、デアクティベーション処理ユニットと；
を有し、
前記ＵＥのための前記アクティベートされた追加キャリア上でのＰＤＣＣＨに応じて、前記ＵＥは前記タイマをリスタートさせる、
通信システム。
【発明の詳細な説明】
【技術分野】
【０００１】
本発明は、無線通信技術、及び、特に、キャリア・アグリゲーション・システムのキャリアマネージメントを実行する方法及び装置に関する。
【背景技術】
【０００２】
３ＧＰＰ技術の発展系であるＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）のＬＴＥ（Ｌｏｎｇ  Ｔｅｒｍ  Ｅｖｏｌｕｔｉｏｎ）プロジェクトが凍結されると共に、３ＧＰＰ組織はモバイル第４世代（４Ｇ）電気通信システム（例えばＬＴＥ−Ａｄｖａｎｃｅｄ（ＬＴＥ−Ａ））の研究を開始した。ＩＴＵが要求する  ４Ｇのシステム（ダウンリンクに１Ｇｂｐｓ及びアップリンクに５００Ｍｂｐｓ）の高データ速度の要件のニーズを満足するために、３ＧＰＰは、高データ速度を提供することが可能なバンド幅をサポートするために、ＬＴＥ−Ａのキャリア・アグリゲーション・技術を提案している。  キャリア・アグリゲーション・技術は、異なる周波数範囲の複数のキャリアを結合して、最大のバンド幅１００Ｍを形成することができる。これによって、ＬＴＥ−Ａのユーザ装置（ＵＥ、又は、移動端末、移動局、などと称される）が複数のキャリアによってデータの送受信が行える。そしてこれによって、送受信データのバンド幅は、２０Ｍ以上になる。キャリア・アグリゲーション・技術において、各々の結合されたキャリアは、コンポーネントキャリア（ＣＣ）と呼ばれる。
【０００３】
キャリア・アグリゲーション・システムにおいて、基地局（ＮｏｄｅＢを発展させたｅＮＢ）終端は複数のＣＣによって提供される。また、ＵＥは同時に複数のＣＣによるデータの送受信をサポートする。現在では、３ＧＰＰによるキャリア・アグリゲーション・技術の研究は比較的遅く、特に高位レイヤ技術の研究を行っている。一部のコンセプト及び基本的なフローだけは定められ、技術的な詳細についての研究がなされていない。キャリア・アグリゲーション・技術は、主にＵＥに対して速い速度の転送をサポートするため、アイドル状態のＵＥに対しては機能しない。このため、アイドル状態のＵＥに対しては、産業界は、１つのＣＣのみを提供することを考えており、このＣＣを介してサービス接続が設定される。本明細書における記述の簡略化のため、本発明において、このようなＣＣをプライマリキャリアと呼び、同一のキャリア・アグリゲーション・システムにおける他のＣＣは、追加キャリアと呼ぶ。
【０００４】
キャリア・アグリゲーション・技術において、マルチ・キャリア送信をサポートする信号及び制御チャネルは、物理レイヤにおいて再設計され、かつ高位レイヤープロトコルも、マルチプルキャリアの管理について設計される。これには、ＵＥのキャリアセットのキャリア構成、キャリアセットのキャリアの追加、解除、などが含まれる。現在、以下の２つの基本的解決策が、キャリアマネージメントのために議論されている。
【０００５】
解決案１：１つのステップに基づく解決案であり、すなわち、キャリア構成（ｃｏｎｆｉｇｕｒａｔｉｏｎ）プロセスだけが存在するものである。具体的には、一つ以上の追加されるキャリアは、高位レイヤ信号によって、ＵＥのために構成（ｃｏｎｆｉｇｕｒｅ）される。構成の後、ＵＥは、制御情報及びデータを、構成されたキャリアによって受信することができる。
【０００６】
解決案２：これは、２つのステップ（すなわち構成プロセス及びアクティベーションプロセス）に基づく解決案である。具体的には、第１に、一つ以上の追加されたキャリアが、高位レイヤ信号によってＵＥのために構成される。構成の後、ＵＥは、制御情報、又は、データを構成されたキャリアで直ちに受信することはできない。その代わりに、ＵＥのダウンリンク・トラヒック量が増加したときに、基地局は更なる信号によって構成された一つ以上のキャリアをアクティベートさせる。キャリアがアクティベートされた後にのみ、ＵＥは、その上に制御情報及びデータを受信することができる。ＵＥのダウンリンク・トラヒック量が減少したときには、基地局は、高位レイヤ信号を介して一つ以上のキャリアをデアクティベートさせることができる。
【０００７】
解決手段１と比較して、解決手段２は、付加的なアクティベーション及びデアクティベーション（ｄｅａｃｔｉｖａｔｉｏｎ）信号を必要とする。解決手段２において、追加されたキャリアは、ＵＥからのトラフィック量要求に応じてアクティベート及びデアクティベートすることができる。これによって、よりよくＵＥにパワーを温存することができる。なお、上記２つの解決案はまだ議論中であり、具体的なインプリメンテーション方法は決まっていない。したがって、キャリアマネージメントを実行するための具体的なインプリメンテーション解決案が、キャリア・アグリゲーション・システムのために提案されることが望ましい。
【０００８】
なお、上記の従来技術は、本発明の解決策について、明確にそして簡潔に単に説明するためのものであり、そして、当業者の理解を助けるためのものである。これらの技術は、背景技術の欄に記載されていることをもって、当業者に公知のものであることを意味するものではない。
【０００９】
本発明に関連する技術が以下に記載されている。そして、これらの文献は、参照により、本明細書に完全に組み込まれる。
【先行技術文献】
【特許文献】
【００１０】
【特許文献１】米国特許公開公報第２００９／０２６８８３１号
【特許文献２】米国特許公開公報第２００９／０２５７５１７号
【特許文献３】米国特許公開公報第２００９／０２１９９１０号
【特許文献４】国際公開第２００９／１２０１２３号
【特許文献５】中国国際公開１０１４６５７２０号
【発明の概要】
【発明が解決しようとする課題】
【００１１】
本発明の目的は、キャリア・アグリゲーション・システムのキャリアマネージメントを実行する方法及び装置を提供することである。これによって、キャリア・アグリゲーション・システムで提供される複数のキャリアを管理することができる。
【課題を解決するための手段】
【００１２】
本発明の実施例に従って、本発明は、キャリア・アグリゲーション・システムのキャリアマネージメントを実行する方法であって：追加キャリア測定指示を伝える信号をユーザ機器（ＵＥ）に送信するステップと；  前記ＵＥから追加キャリア測定報告を受信するステップと；前記ＵＥのダウンリンクトラフィック量が増加した場合、前記追加キャリア測定報告に従って、前記ＵＥの記録された現在のダウンリンクキャリアセットのキャリアが前記ダウンリンクトラフィック量のデータレートの要求を満たさない場合、前記ＵＥのための追加キャリア構成オペレーションを実行し、かつ対応する構成オペレーションを実行するよう前記ＵＥに構成指示を伝える信号を前記ＵＥに送信するステップであって、前記追加キャリア構成オペレーションは、少なくとも一つの追加キャリアを構成し、かつアクティベートさせることと、前記少なくとも一つの追加キャリアを前記ダウンリンクキャリアセットに加えることとを含む、ステップと、を有する方法を提供する。
【００１３】
加えて、前記基地局において、前記追加キャリアのアクティベーション及びデアクティベーションのオペレーションは、前記ＵＥのダウンリンクトラフィック量の変化に従って、前記ＵＥに対して行われる。コンポーネントキャリアの置換及び解除のオペレーションは、前記ＵＥによって報告された、前記キャリアセットの前記コンポーネントキャリアの測定結果に従って、ＵＥに対して行われてもよい。そして、前記ＵＥは、高位レイア信号（例えばＲＲＣ信号、ＭＡＣ信号）物理レイア信号（例えば、ＰＤＣＣＨ信号）又は暗黙的信号（ｉｍｐｌｉｃｉｔ  ｓｉｇｎａｌｉｎｇ）を介して告知されてもよい。《本発明の好ましい実施例において、本方法は、前記ＵＥの前記ダウンリンクトラフィック量が減少した場合、前記ＵＥの前記ダウンリンクトラフィック量に従って前記ＵＥのための少なくとも一つのアクティベートされた追加キャリアのデアクティベーションオペレーションを実行するステップと、対応するデアクティベーションオペレーションを実行するように前記ＵＥに指示するステップと、を更に有する。
【００１４】
本発明の他の好ましい実施例において、本方法は、前記ＵＥの前記ダウンリンクトラフィック量が増加した場合であって、前記ＵＥの前記記録された現在のダウンリンクキャリアセットの前記キャリアが前記ダウンリンクトラフィック量のバンド幅の前記要求を満たす場合、前記ＵＥのための前記ダウンリンクキャリアセットの少なくとも一つのデアクティベートされた追加キャリアのアクティベーションオペレーションを実行し、かつ前記ＵＥに対応するアクティベーションオペレーションを実行するように指示する、アクティベーション指示を伝える信号を前記ＵＥに送信するステップ、を更に有する。
【００１５】
本発明の他の好ましい実施例において、本方法は、前記ダウンリンクキャリアセットの少なくとも１つのアクティベートされた追加キャリアの物理ダウンリンク制御チャネル（ＰＤＣＣＨ）をモニタするか否かを前記ＵＥに指示する、モニタリング指示を伝える信号を前記ＵＥに送信するステップ、を更に有する。
【００１６】
本発明の他の好ましい実施例において、本方法は、前記測定報告に従って、前記ダウンリンクキャリアセット以外に、より良好な信号品質の追加キャリアが存在すると判断された場合、前記ダウンリンクキャリアセットの最悪の信号品質の追加キャリアを、前記ダウンリンクキャリアセット以外に、より良好な信号品質の前記追加キャリアに置換するステップと、対応する置換を実行することをＵＥに指示する、置換指示を伝える信号を前記ＵＥに送信するステップと、を更に有し、より良好な信号品質の前記追加キャリアは、前記ダウンリンクキャリアセットの少なくとも１つの追加キャリアの信号品質より、より良好な信号品質を有する追加キャリアである。
【００１７】
本発明の他の好ましい実施例において、本方法は、前記ＵＥのサービス接続の間、所定の閾値より低い信号品質強度を持つ追加キャリアが、前記ダウンリンクキャリアセットに存在すると判断された場合、前記ダウンリンクキャリアセットから前記所定の閾値より低い前記信号品質強度を持つ前記追加キャリアを解除するステップと、対応する解除オペレーションを実行することをＵＥに指示するために、解除指示を伝える信号を前記ＥＵに送信するステップと、を更に有する。
【００１８】
本発明の他の側面の実施例に従って、本発明は、前記ダウンリンクトラフィック量が増加した場合、基地局から構成指示を伝える信号に従って、追加キャリア構成オペレーションを実行するステップであって、前記追加キャリア構成オペレーションは、少なくとも１つの追加キャリアを構成し、かつアクティベートし、前記少なくとも１つの追加キャリアをユーザ装置（ＵＥ）のダウンリンクキャリアセットに追加することを含む、ステップと；前記ダウンリンクトラフィック量が減少した場合であって、前記基地局から、前記ダウンリンクキャリアセットの前記少なくとも１つの追加キャリアに対してデアクティベーション指示を受信した場合、又は、継続した所定の数の不連続な受信サイクルの間、前記ダウンリンクキャリアセットの前記少なくとも１つの追加キャリアにおいて、制御情報、又はデータが受信されない場合、前記ダウンリンクキャリアセットの少なくとも１つのアクティベートされた追加キャリアにデアクティベーションオペレーションを実行するステップと；を有する方法を提供する。
【００１９】
本発明の実施例において、本方法は、媒体アクセス制御（ＭＡＣ）信号を基地局から受信するステップと、前記ダウンリンクキャリアセットの前記キャリアに対応する前記ＭＡＣ信号のビット情報に従って、追加キャリアをアクティベートするか、又はアクティベートされた追加キャリアのＰＤＣＣＨをモニタするか否かを決定するステップ、を更に有する。
【００２０】
本発明の実施例において、本方法は、前記ＵＥのサービス接続の間、前記ダウンリンクキャリアセット以外に、より良好な信号品質の追加キャリアが存在する場合、前記基地局から置換指示を伝える信号を受信するステップと、前記置換指示を伝える前記信号に従って、前記ダウンリンクキャリアの最悪の信号品質の追加キャリアを、前記ダウンリンクキャリアセット以外に、より良好な信号品質の前記追加キャリアに置換するステップと、を更に有し、より良好な信号品質の前記追加キャリアは、前記ダウンリンクキャリアセットの少なくとも１つの追加キャリアの信号品質より、より良好な信号品質を有する追加キャリアである、方法を提供する。
【００２１】
本発明の実施例において、本方法は、前記ＵＥのサービス接続の間、所定の閾値よりも低い信号品質強度を有する追加キャリアが、前記ダウンリンクキャリアセットに存在する場合、前記基地局から、解除指示を伝える信号を受信するステップと、前記解除指示を伝える信号に従って、前記所定の閾値よりも低い信号品質強度を有する前記追加キャリアを、前記ダウンリンクキャリアセットから解除するステップと、を更に有する。
【００２２】
本発明の他の側面において、本発明は更に、キャリア・アグリゲーション・システムのキャリアマネージメントを実行する装置であって：追加キャリア測定指示を伝える信号を生成する測定指示信号生成ユニットと；ユーザ装置（ＵＥ）のダウンリンクトラフィック量を検出するトラフィック量検出ユニットと；前記ＵＥから追加キャリア測定報告を受信する受信ユニットと；前記ＵＥの前記ダウンリンクトラフィック量が増加することで、前記ＵＥの記録されたダウンリンクキャリアセットのキャリアが、前記ダウンリンクトラフィック量のデータレートの要求を満たさないことを、前記トラフィック量検出ユニットが検出した場合、前記受信ユニットによって受信された、前記追加キャリア測定報告に従って、前記ＵＥのために追加キャリア構成オペレーションを実行する構成ユニットであって、前記追加キャリア構成オペレーションは、少なくとも１つ追加キャリアを構成しかつアクティベートすること、及び前記少なくとも１つの追加キャリアを前記ダウンリンクキャリアセットに追加することを含む、構成ユニットと；対応する構成オペレーションを実行するよう前記ＵＥに指示するために、構成指示を伝える信号を生成する、構成指示信号生成ユニットと；前記追加キャリア測定指示を伝える信号、及び前記構成指示を伝える前記信号を送信する送信ユニットと；を有する装置を提供する。
【００２３】
本発明の好ましい実施例において、前記ＵＥの前記ダウンリンクトラフィック量が減少した場合、前記ＵＥのダウンリンクトラフィック量に従って、前記ＵＥのために少なくとも１つのアクティベートされた追加キャリアのデアクティベーションオペレーションを実行するデアクティベーション処理ユニット、を更に有する装置が提供される。
【００２４】
本発明の他の好ましい実施例において、前記ＵＥの前記ダウンリンクトラフィック量が増加した場合であって、前記ＵＥの前記記録された現在のダウンリンクキャリアセットの前記キャリアが、前記ダウンリンクトラフィック量のバンド幅の要求を満たす場合、前記ＵＥのための前記ダウンリンクキャリアセットの少なくとも１つのデアクティベートされた追加キャリアのアクティベーションオペレーションを実行する、アクティベーション処理ユニットと；アクティベーション指示を伝える信号を生成する、アクティベーション指示信号生成ユニットと；を更に有し、前記送信ユニットは、対応するアクティベーションオペレーションを実行することを前記ＵＥに指示するために、前記ＵＥにアクティベーション指示を伝える前記信号を送信するようさらに構成される、装置が提供される。
【００２５】
本発明の他の好ましい実施例において、モニタリング指示を伝える信号を生成する、モニタリング指示信号生成ユニットと；  を有し、前記送信ユニットは、前記ダウンリンクキャリアセットの少なくとも１つのアクティベートされた追加キャリアのＰＤＣＣＨをモニタするか否かを前記ＵＥに指示するために、前記ＵＥに前記モニタリング指示を伝える前記信号を送信するよう更に構成された、装置が提供される。
【００２６】
本発明の他の好ましい実施例において、前記ＵＥのサービス接続の間、前記測定報告に従って、前記ダウンリンクキャリアセット以外に、より良好な信号品質の前記追加キャリアが存在すると判断された場合、前記ダウンリンクキャリアセットの最悪の信号品質の追加キャリアを、前記ダウンリンクキャリアセット以外に、より良好な信号品質の追加キャリアに置換するキャリア置換ユニットであって、より良好な信号品質の前記追加キャリアは、前記ダウンリンクキャリアセットの少なくとも１つの追加キャリアの信号品質より、より良好な信号品質を有する追加キャリアである、キャリア置換ユニットと；置換指示を伝える信号を生成する置換指示信号生成ユニットと；を有し、前記送信ユニットは、対応する置換を実行するよう前記ＵＥに指示するために、前記置換指示を伝える信号を前記ＵＥに送信するよう更に構成された、装置が提供される。
【００２７】
本発明の他の好ましい実施例において、前記ＵＥのサービス接続の間、前記所定の閾値よりも低い信号強度を有する前記追加キャリアが、前記ダウンリンクキャリアセットに存在すると判断された場合、前記ダウンリンクキャリアセットから、所定の閾値よりも低い信号品質強度を有する追加キャリアを解除する、解除処理ユニットと；解除指示を伝える信号を生成する解除指示信号生成ユニットと；を有し、前記送信ユニットは、対応する解除オペレーションを実行するよう前記ＵＥに指示するために、解除指示を伝える信号を前記ＵＥに送信するよう更に構成された、装置が提供される。
【００２８】
本発明の他の好ましい実施例において、本発明は更に、キャリア・アグリゲーション・システムのキャリアマネージメントを実行する装置であって、前記ダウンリンクトラフィック量が増加した場合、基地局からの構成指示を伝える信号に従って、追加キャリア構成オペレーションを実行する、構成処理ユニットであって、前記追加キャリア構成オペレーションは、少なくとも１つの追加キャリアを構成しかつアクティベートし、前記少なくとも１つの追加キャリアを前記ダウンリンクキャリアセットに追加することを含む、構成処理ユニットと；前記ダウンリンクトラフィック量が減少した場合であって、前記基地局から、前記ダウンリンクキャリアセットの前記少なくとも１つの追加キャリアのためのデアクティベーション指示が受信された場合、又は、継続した所定の数の不連続な受信サイクルの間、前記ダウンリンクキャリアセットの前記少なくとも１つの追加キャリアで制御情報又はデータが受信されない場合、前記ダウンリンクキャリアセットの少なくとも１つのアクティベートされた追加キャリアのデアクティベーションオペレーションを実行する、デアクティベーション処理ユニットと；を有する装置を提供する。
【００２９】
本発明の他の好ましい実施例において、前記基地局から媒体アクセス制御（ＭＡＣ）信号を受信する受信ユニットと；前記ダウンリンクキャリアセットの前記キャリアに対応する前記ＭＡＣ信号のビット情報に従って、追加キャリアをアクティベートさせるか、又はアクティベートされた追加キャリアのＰＤＣＣＨをモニタするべきか否かを決定するアクティベーション又はモニタリング処理ユニットと；を有する装置が提供される。
【００３０】
本発明の他の好ましい実施例において、前記ダウンリンクキャリアセット以外に信号品質がより良好な信号の追加キャリアが存在する場合、置換指示を伝える信号を前記基地局から受信する受信ユニットと；前記置換指示を伝える前記信号に従って、前記ダウンリンクキャリアセットの最悪の信号品質の追加キャリアを、前記ダウンリンクキャリアセット以外に、より良好な信号品質の前記追加キャリアと置換する置換処理ユニットであって、より良好な信号品質の前記追加キャリアは、前記ダウンリンクキャリアセットの少なくとも１つの追加キャリアの信号品質より、より良好な信号品質を有する追加キャリアである、置換処理ユニットと；を有する装置が提供される。
【００３１】
本発明の他の好ましい実施例において、所定の閾値より低い信号品質強度を有する追加キャリアが前記ダウンリンクキャリアセットに存在した場合に、解除指示を伝える信号を前記基地局から受信する受信ユニットと；前記解除指示を伝える前記信号に従って、前記ダウンリンクキャリアセットから前記所定の閾値より低い前記信号品質強度を有する前記追加キャリアを解除する解除処理ユニットと；を有する装置が提供される。
【００３２】
本発明の他の好ましい実施例において、コンピュータ可読のプログラムが提供される。このプログラムは、キャリア・アグリゲーション・システムにおいて実行された場合、コンピュータは、上述の方法を実行し、キャリア・アグリゲーション・システムにおいてキャリアマネージメントを遂行する。
【００３３】
本発明の他の好ましい実施例において、本発明は、更に、コンピュータ可読のプログラムを格納した記憶媒体を提供する。ここで、コンピュータ可読のプログラムは、コンピュータが、上述の方法を実行し、キャリア・アグリゲーション・システムにおいてキャリアマネージメントを遂行するようにさせる。
【００３４】
キャリア・アグリゲーション・システムにおけるキャリアマネージメントを実行するための方法及び装置に基づいて、ＵＥのトラフィック要求に従って、追加キャリアが効果的に管理される。
【００３５】
上述及び関連する目的を達成するために、本発明は特徴を有し、以下に詳細に記載され、具体的に請求項に明記される。以下の説明及び図面は、本発明の特定の例示的実施例を詳細に示すものである。しかしながら、これらの実施例は、本発明の原理を用いるための幾つかの方策に過ぎない。他の目的、効果、新規な特徴は、図面を参照しながら、以下の本発明の詳細な説明の記載によって明らかとなる。
【００３６】
本発明の好ましい実施例を示す添付の図面は、明細書の一部を構成する。これによって、文章による説明と共に本発明の原理を更に詳細に説明する。
【図面の簡単な説明】
【００３７】
【図１】ＬＴＥシステムのサービス接続をセットアップするためのＵＥの信号フローを示す図である。
【図２】ＬＴＥシステムのセキュリティーモードをアクティベートさせるためのＵＥの信号フローを示す図である。
【図３】本発明の実施例の追加されたキャリアを構成するフローチャートを示す図である。
【図４】本発明の他の実施例の追加されたキャリアのデアクティベーションのオペレーションのフローチャートである。
【図５】本発明の他の実施例の追加されたキャリアのアクティベーションオペレーションのフローチャートである。
【図６】本発明の他の実施例の追加されたキャリアの置換オペレーションのフローチャートである。
【図７】本発明の他の実施例の追加キャリアの解除オペレーションのフローチャートである。
【図８】本発明の他の実施例の追加されたキャリアを管理する信号フローを示す図である。
【図９】ＬＴＥシステムのＭＡＣ  ＰＤＵフォーマットを示す図である。
【図１０】本発明の実施例のＭＡＣ  ＰＤＵフォーマットを示す図である。
【図１１】本発明の実施例の基地局の構成を示すブロック図である。
【図１２】本発明の他の実施例の基地局の構成を示すブロック図である。
【図１３】本発明の実施例のＵＥの構成を示すブロック図である。
【発明を実施するための形態】
【００３８】
好ましい実施例の詳細な説明
本発明の実施例の技術的な解決案は、実施例の図面とともに以下に説明する。言うまでもなく、記載されている実施例は、全ての実施例ではなく、本発明の実施例の一部である。何ら創造的努力無しに、本発明の実施例に基づいて、当業者が得た実施例は、本発明の保護範囲に属する。
【００３９】
なお、不必要な詳細事項により本発明を不明確にすることを避けるために、図面は、本発明に基づく構造だけを明記し、かつ／又は、解決策に直接に関連するプロセスステップだけを記載している。そして、関連の薄い他の詳細事項は、図面には記載されていない。
【００４０】
本明細書で提案するツーステップ解決案（構成及びアクティベーション）に基づいて、本発明は、キャリア・アグリゲーション・システムのキャリアマネージメントを実行する新規な方法を提案する。現在、本発明の方法は、実施例によって以下の通りに詳細に記載される。
【００４１】
データ転送を始める前に、ＵＥは、サービス接続をセットアップし、かつセキュリティーモードをアクティベートさせる。したがって、本発明をよりよく理解するために、サービス接続をセットアップするＵＥのための信号フロー及びＬＴＥシステムのセキュリティーモードをアクティベートさせるＵＥのための信号フローについてまず説明する。
【実施例】
【００４２】
図１に示すように、ＬＴＥシステムのサービス接続をセットアップするＵＥのためのフローは、以下を有する。
【００４３】
ステップ１００：ＵＥは、基地局に無線リソース制御（ＲＲＣ：Ｒａｄｉｏ  Ｒｅｓｏｕｒｃｅ  Ｃｏｎｔｒｏｌ）接続要求を送信する。
【００４４】
ＵＥがアイドル状態である場合、ノンアクセスストラタム（ＮＡＳ：Ｎｏｎ  Ａｃｃｅｓｓ  Ｓｔｒａｔｕｍ）がサービス接続要求を起動させたあと、ＵＥは基地局がＵＥのためのサービス接続をセットアップすることを必要とするために基地局にＲＲＣ  接続制御信号を送信する。
【００４５】
ステップ１０２：基地局は、ＵＥにＲＲＣ  接続セットアップ信号を返す。
【００４６】
具体的には、ＵＥからＲＲＣ  接続要求信号を受信した後に、基地局は、ＵＥのための専用の無線リソースを設定し、かつＲＲＣ  接続セットアップ信号によってＵＥにリソース構成情報を知らせる。
【００４７】
ステップ１０４：無線リソース構成が完了したあと、ＵＥは基地局にＲＲＣ  接続セットアップ完了信号を返す。
【００４８】
具体的には、基地局からＲＲＣ  接続セットアップ信号を受信した後に、ＵＥは、アイドル状態において使用されるいくつかのタイマを停止すると共に、無線リソースを設定する。次に、登録されたモバイルマネージメントエンティティ（ＭＭＥ：Ｍｏｂｉｌｅ  Ｍａｎａｇｅｍｅｎｔ  Ｅｎｔｉｔｙ）の情報はＲＲＣ  接続セットアップ完了信号によって基地局に送信される。これによって、接続セットアッププロセスを完了する。
【００４９】
図２に示すように、セキュリティーモードをアクティベートさせるＵＥのためのフローは、以下の通りである。
【００５０】
ステップ２０１：サービス接続がＵＥのためにセットアップされたあと、基地局はセキュリティーモード命令信号をＵＥに送信する。
【００５１】
ステップ２０３：セキュリティーモード命令信号を受信した後に、ＵＥは、暗号化キーを算出し、かつ暗号化アルゴリズムを実行する。それから、ＵＥは基地局にセキュリティーモード完了信号を送信する。これによって、セキュリティーモードのアクティベーションを完了する。
【００５２】
ＬＴＥ−Ａシステムにおいて、ＵＥは、セル検索プロセス及びその残余部分の間に、キャリアをサーチし、アイドル状態に入る。ＵＥに対して、レジデント・キャリア（ｒｅｓｉｄｅｎｔ  ｃａｒｒｉｅｒ）は、ＵＥのプライマリキャリアである。ＮＡＳがサービス接続要求を起動させた場合、ＵＥはサービス接続（図１を参照）及びセキュリティーモード・アクティベーション（図２を参照）を実行する。これは、ＬＴＥシステムにおいて設計された信号フローに従ってプライマリキャリアを介して行われる。そして、その後、サービス接続された状態に入り、かつデータ転送及び受信を始める。
【００５３】
ＵＥのための追加キャリアを構成することを含む、サービス接続及びセキュリティーモード・アクティベーションを完了した、ＵＥのために、本発明は、キャリアマネージメントを実行する。ＵＥのためのキャリアマネージメントを実現するために、ダウンリンクキャリアセットは、基地局側及びＵＥ側で、それぞれ記録される。ダウンリンクキャリアセットは、ＵＥのために構成されたキャリア（プライマリ及び追加キャリアを含む）の情報を備えている。付加的なキャリア構成がＵＥに作られる前に、ダウンリンクキャリアセットはプライマリキャリアの情報だけを含む。
【００５４】
図３は、本発明の一実施例に従ったキャリア・アグリゲーション・システムのキャリアマネージメントを実行する方法のフローチャートである。図３に示すように方法は、以下の事項を備えている。
【００５５】
ステップ３１０：基地局は、追加キャリア測定指示を送信する信号をＵＥへ送信する。
【００５６】
本発明の好ましい実施例において、追加キャリア測定指示を送信する信号は、ＲＲＣ信号（例えばＲＲＣ  接続再構成信号）である。しかし、本発明は、これに制限されず、かつ信号は他のＲＲＣ、又は、非ＲＲＣ信号であってもよい。
【００５７】
例えば信号（本願明細書において、追加キャリア測定指示と言う）によって送信される情報としては、測定すべき追加キャリアの振動数及びバンド幅、測定間隔、及び測定結果の報告サイクルが挙げられるが、これに限定されるものではない。
【００５８】
プライマリキャリアは、常にＵＥのサービス接続の間、アクティベートされた状態である。基地局から追加キャリア測定指示を送信する信号を受信した後に、ＵＥは、キャリア・アグリゲーション・システムにおいて、信号の情報に従って、追加キャリアの信号品質、その他の測定を実行し、かつ周期的に測定報告を介して報告する。
【００５９】
ステップ３２０：基地局は、ＵＥから追加キャリア測定報告を受信する。
【００６０】
追加キャリア測定報告は、ＵＥで測定された追加キャリアの測定結果を含む。本発明の好ましい実施例において、追加キャリア測定報告は、ＲＲＣ信号（例えばＲＲＣ  接続再構成完了信号）である。しかしながら、本発明はこれに限定されない。そして、信号は他のＲＲＣ、又は、非ＲＲＣ信号であってもよい。基地局は、測定結果に従って追加キャリアの信号品質を得ることができる。
【００６１】
ステップ３３０：ＵＥのダウンリンクトラフィック量が増加した場合、基地局はＵＥのために、追加キャリア構成オペレーションを実行し、かつＵＥに対して対応する構成オペレーションを実行させるために、構成指示を伝える信号をＵＥへ送信する。
【００６２】
ここで、追加キャリア構成オペレーションは、少なくとも一つの追加キャリアを構成し、かつアクティベートさせ、かつ少なくとも一つの追加キャリアをダウンリンクキャリアセットに加えることを含む。
【００６３】
具体的には、ＵＥのダウンリンクトラフィック量が増加した場合、基地局はＵＥから追加キャリア測定報告の追加キャリアの信号品質に従ってＵＥのための一つ以上の追加キャリアを構成し、かつアクティベートさせてもよい。基地局によってＵＥのために構成されるダウンリンクキャリアセットのキャリアがダウンリンクトラフィック量のデータレートの要求を満たすことができない場合、構成された追加キャリアをダウンリンクキャリアセットに加えてもよい。加えて、基地局は更に、特定の信号によるＵＥに追加キャリア構成指示を送信する。そして、これはＲＲＣ信号（例えばＲＲＣ  接続再構成信号）であってもよい。しかし、本発明はこれに限定されず、かつ特定の信号は他のＲＲＣ、又は、非ＲＲＣ信号であってもよい。特定の信号に含まれる情報（すなわち追加キャリア構成指示）としては、構成されたダウンリンクキャリアのための周波数、バンド幅、無線資源配分情報、その他が挙げられるが、これに限定されるものではない。
【００６４】
ステップ３３０と関連して、特定の信号を受信した後に、ＵＥは追加キャリアが基地局によってそれのために新しく構成されることを発見する。そして、それは、信号の（例えば、追加キャリアのための専用の無線リソース情報を構成する）情報に従って追加キャリアを構成し、かつ追加キャリアをアクティベートさせる。これによって、新しく構成された追加キャリアによって、制御情報を物理ダウンリンク制御チャネル（ＰＤＣＣＨ）から、かつデータを物理ダウンリンク共有チャネル（ＰＤＳＣＨ）から受信し始める。ＵＥは、また、新しく構成された追加キャリアをダウンリンクキャリアセットに加える。
【００６５】
ＵＥが追加キャリアの構成を完了したあと、任意に、方法はＵＥが基地局に構成の完了応答信号を返すステップ３４０を有してもよい。構成完了応答信号は好ましくはＲＲＣ  接続再構成完了信号のようなＲＲＣ信号である。しかしながら、これに限定されることはなく、他の形式の信号であってもよい。
【００６６】
ＵＥのための（アクティベーションを含む）追加キャリアの構成は、上記ステップ３１０〜３４０に基づいて完了する。
本発明の実施例は、ダウンリンクトラフィック量に従って追加キャリアの初期構成（ｉｎｉｔｉａｌ  ｃｏｎｆｉｇｕｒａｔｉｏｎ）を実行する。追加キャリアが最初に構成されていれば、追加キャリアがアクティベートされる。
【００６７】
加えて、本発明は、ＵＥのダウンリンクトラフィック量の変更に従って、基地局側でＵＥのための追加キャリアのデアクティベーション及びアクティベーションオペレーションを実行してもよい。あるいは、ＵＥによって報告されるキャリアセットのコンポーネントキャリアの測定結果に従って、ＵＥのためのコンポーネントキャリアの置換及び解除オペレーションを実行してもよい。また、ＵＥに対して、高位レイヤ信号（例えばＲＲＣ信号、ＭＡＣ信号、その他）、物理レイヤ信号（例えばＰＤＣＣＨ信号）、又は、潜在的な信号（ｉｍｐｌｉｃｉｔ  ｓｉｇｎａｌｉｎｇ）により通知してもよい。
【００６８】
ＵＥのダウンリンクトラフィック量が減少した場合、図４に示したように、本発明によるキャリアマネージメントを実行する方法は追加キャリア・デアクティベーションの以下のステップを更に含んでもよい。
【００６９】
ステップ４３０：基地局は、ＵＥのダウンリンクトラフィック量に従って、ＵＥのための少なくとも一つの追加キャリアをデアクティベートし、かつ、少なくとも一つの追加キャリアにおいてＵＥに対応するデアクティベーションオペレーションを実行させるために、ＵＥにデアクティベーション指示を送信する。
【００７０】
基地局は、明示的な（ｅｘｐｌｉｃｉｔ）信号によりＵＥに、デアクティベーション指示を送信してもよい。これによって、ＵＥに、アクティベートされた状態の一つ以上の追加キャリアをデアクティベートすることを通知できる。明示的な信号はＲＲＣ信号（例えばＲＲＣ  接続再構成信号）であってもよい。しかしながら、本発明は、これに限定されず、他のＲＲＣ、又は、非ＲＲＣ信号であってもよい。明示的な信号により伝達される指示（すなわちデアクティベーション指示）としては、デアクティベートされた追加キャリアの周波数、更に例えばデアクティベートされた追加キャリアのバンド幅の情報を含んでもよい。なお、これに限定されるものではない。明示的な信号を受信した後に、ＵＥは、明示的な信号によって定義されるオペレーション及び追加キャリアに存在する情報に従って、追加キャリアの対応するデアクティベーションオペレーションを実行するよう判断し、
ＵＥが少なくとも一つのアクティベートする追加キャリアをデアクティベートしたあと、任意に、方法はデアクティベーション完了応答信号が基地局に返すステップ４４０を更に含んでもよい。デアクティベーション完了応答信号は、好ましくはＲＲＣ  接続再構成完了信号のようなＲＲＣ信号である、しかしながら、これに制限されることはなく、かつ他の形式の信号であってもよい。
【００７１】
図４に示したように、追加キャリアのデアクティベートをさせるステップ４３０及び４４０は、明示的な信号で実行される。エアーインタフェース・リソースを節約するために、本発明の他の好ましい実施例では、ＵＥのダウンリンクトラフィック量が減少した場合、基地局は、潜在的な信号（ｉｍｐｌｉｃｉｔ  ｓｉｇｎａｌｉｎｇ）により、アクティベートされた状態の一つ以上の追加キャリアをデアクティベートするためにＵＥに通知してもよい。
【００７２】
潜在的な信号の設計方法は、基地局及びＵＥにおいて同様である。タイマの最小限のタイミングユニットは不連続受信（ＤＲＸ：Ｄｉｓｃｏｎｔｉｎｕｏｕｓ  Ｒｅｃｅｐｔｉｏｎ）サイクルである。そして、ＵＥがサービス接続をセットアップした場合、それが基地局によって構成される。基地局が、ＰＤＣＣＨ又はＰＤＳＣＨで、Ｘ個の継続したＤＲＸサイクルにおいて、いかなる制御情報又はデータをも送信しない場合、それは、追加キャリアをアクティベートしていない状態で設定する。そして、対応するタイマを削除する。ここでＸは、例えば１より大きい整数である。同様に、ＵＥが、継続したＸ個のＤＲＸサイクルにおいて、追加キャリアに関するいかなる制御、又は、情報データをも受信しない場合、それは追加キャリアをデアクティベートし、かつ対応するタイマを削除する。タイマは、基地局側及びＵＥ側で同期しているため、追加キャリアは基地局及びＵＥによって同時にデアクティベートされる。ダウンリンクキャリアセットの追加キャリアがデアクティベート状態である場合、基地局及びＵＥは、それぞれ、デアクティベートされた追加キャリアに関する制御情報及びデータを送受信することを停止する。潜在的な信号を用いて、追加キャリアのデアクティベーションオペレーションを実行することによって、エアーインタフェース・リソースを節約することができる。
【００７３】
更に、ＵＥのダウンリンクトラフィック量が再び増加した場合、基地局によって現在構成されるダウンリンクキャリアセットのキャリアがダウンリンクトラフィック量のデータレートの要求を満たすことができる場合であって、現在アクティベートされているキャリアがダウンリンクトラフィック量のデータレートの要求を満たさないときには、図５に示したように、本発明によるキャリアマネージメントを実行する方法は、追加キャリアをアクティベートさせる以下のステップを更に含んでもよい。
【００７４】
ステップ５３０：基地局は、ＵＥのためのダウンリンクキャリアセットの少なくとも一つのデアクティベートされた追加キャリアのアクティベーションオペレーションを実行し、かつＵＥに対応するアクティベーションオペレーションを実行させるためのアクティベーション指示を送信する信号をＵＥへ送信する。
【００７５】
本発明の一実施例では、アクティベーション指示を送信する信号は、好ましくは媒体アクセス制御（ＭＡＣ）信号である。例えば、基地局は、ＵＥによって報告される追加キャリアの測定結果に従って、一つ以上のデアクティベートされた追加キャリアをアクティベートさせるためにＵＥのための一つ以上のデアクティベートされた追加キャリアを、ダウンリンクキャリアセットから選択し、かつ、一つ以上のデアクティベートされた追加キャリアをアクティベートさせるために、ＭＡＣ信号によってＵＥに通知する。
【００７６】
ＭＡＣ信号のための設計方法は、所定のバイト（例えば一つ以上のバイト）の情報をＬＴＥシステムのＭＡＣプロトコル・データ・ユニット（ＰＤＵ）に加えてもよい。このバイトは、予約のビット及び利用可能ビットを含む。ここで、利用可能ビットの数はダウンリンクキャリアセットのキャリアのそれに等しく、それ以外のビットは予約のビットとしてもよい。利用可能ビットは、ビットマップでダウンリンクキャリアセットのキャリアに、１つ１つ対応している。この場合、プライマリキャリアに対応する利用可能ビットの所定の値（１、又は、０）の意味は、ＬＴＥシステムのＤＲＸ命令のそれ（両者とも、ダウンリンクキャリアセットのうちアクティベートするキャリアを制御するためのもの）と同様である。例えば、プライマリキャリアに対応する利用可能ビットの値が１であるときに、ＤＲＸ命令がＬＴＥシステムで受信されたあと、ＵＥは、それと同様のオペレーションを実行するように指示される。プライマリキャリアに対応する利用可能ビットの値が０である場合、ＤＲＸ命令が存在しないという場合に対応し、ＤＲＸ命令がＬＴＥシステムで受信されない場合にＵＥが実行するのと同様のオペレーションを実行することを示す。その逆も同じである。追加キャリアに対応する利用可能ビットは、対応する追加キャリアがアクティベートされるかどうかをＵＥに通知するために使用される。例えば、デアクティベートされた追加キャリアに対応する利用可能ビットが第１の値にセットされた場合、デアクティベートされた追加キャリアをアクティベートさせることが示される。そして、デアクティベートされた追加キャリアに対応する利用可能ビットが第２の値にセットされた場合、デアクティベートされた追加キャリアをアクティベートさせないことが示される。ＭＡＣ信号を受信した後に、ＭＡＣ信号がデアクティベートされた追加キャリアをアクティベートさせることを指示する場合、ＵＥはデアクティベートされた追加キャリアをアクティベートさせる。そして、アクティベートされた追加キャリアのＰＤＣＣＨから制御情報、ＰＤＳＣＨからデータを受信し始める。
【００７７】
現在のＬＴＥ−Ａは、一方のキャリアのスケジュールに他方のキャリアを使用することをサポートすることができる。すなわち、１つのキャリアのＰＤＣＣＨにより、他のキャリアのためのリソース・スケジュール情報を送信するために、基地局は、本発明の他の実施例においてモニタリング指示を伝える信号をＵＥに送信してもよい。これによって、ダウンリンクキャリアセットのアクティベートされた少なくとも１つの追加キャリアのＰＤＣＣＨをモニタするか否かをＵＥに示すことができる。
【００７８】
この場合、モニタリング指示を送信する信号は、好ましくは、アクティベーション指示を伝える信号と同じ構造を含むＭＡＣ信号であることが望ましい。この場合、追加キャリアに対応する利用可能ビットは、利用可能ビットに対応する追加キャリアのＰＤＣＣＨをモニタするか否かをＵＥに通知するために使用される。
【００７９】
例えば、基地局は、ＭＡＣ信号を介して、追加キャリアのＰＤＣＣＨをモニタするか否かをＵＥに指示してもよい。ＭＡＣ信号が、利用可能ビットで所定の値（例えば１）によって、アクティベートされた追加キャリアがＰＤＣＣＨによってモニタされることを示す場合、ＵＥは追加キャリアのＰＤＣＣＨの制御情報を受信することを停止し、そして、ＰＤＳＣＨに関するデータのみを受信する。これによって、ＵＥによりＰＤＣＣＨをデコードしてブラインド検知（ｂｌｉｎｄ  ｄｅｔｅｃｔｉｏｎ）を行う複雑度を減らすことができる。
【００８０】
これに対して、ＭＡＣ信号が、利用可能ビットの所定の値（例えば１）によって、アクティベートされた追加キャリアがＰＤＣＣＨによってモニタされないことを示す場合、ＵＥは追加キャリアのＰＤＣＣＨをモニタすることを開始する。これによって、追加キャリアの制御情報を受信することができる。
【００８１】
上記したＭＡＣ信号は、単なる例である。本発明の他の実施例において、アクティベーション指示を送信する信号及びモニタリング指示を送信する信号は、それぞれ、アクティベーション指示情報を送信するＰＤＣＣＨ信号、及び、モニタリング指示情報を送信するＰＤＣＣＨ信号であってもよい。
【００８２】
更に、ＵＥのサービス接続の間、ＵＥの測定報告に従って、ダウンリンクキャリアセットの特定の追加キャリアよりも、そのＵＥに対して構成されていない特定の追加キャリアが、より良好な信号品質を持つと判断された場合、すなわち、ダウンリンクキャリアセット以外に、良好な信号品質の追加キャリアが存在する場合（より良好な信号品質を持つ追加キャリアとは、ダウンリンクキャリアセットのうちの少なくとも１つの追加キャリアより良好な信号品質を持つ追加キャリアを示す）、本発明の方法は、更に図６に示す追加キャリア置換（ａｄｄｉｔｉｏｎａｌ  ｃａｒｒｉｅｒ  ｒｅｐｌａｃｅｍｅｎｔ）の以下のステップを有する。
【００８３】
ステップ６３０：基地局は、ダウンリンクキャリアセットの特定の追加キャリア（例えば最悪の信号品質の追加キャリア）を、特定の信号において、ダウンリンクキャリアセット以外の良好な信号品質の追加キャリアに置換する。
【００８４】
この場合、特定の信号とは、ＲＲＣ信号（例えばＲＲＣ  接続再構成信号）であってもよい。しかしながら、これに制限されることはなく、かつ、他のＲＲＣ、又は、非ＲＲＣ信号であってもよい。ＲＲＣ信号に含まれる情報（本願明細書において置換指示という）としては、置換された追加キャリアの周波数、置換する追加キャリアの周波数、及びバンド幅、置換する追加キャリアに割り当てられた無線リソースアロケーション情報が含まれる。なお、これらに限定されるものではない。ＵＥは、ＲＲＣ信号を受信した後にダウンリンクキャリアセットの情報を更新してもよい。
【００８５】
更に、置換されたダウンリンクキャリアセットの追加キャリアが置換される前にアクティベートされた状態である場合、特定の信号が、ＵＥに対して、より良好な信号品質の追加キャリアを構成し、かつアクティベートさせるよう指示する。置換されるダウンリンクキャリアセットの置換された追加キャリアが置換される前にデアクティベート状態である場合、特定の信号は、より良好な信号品質の追加キャリアを構成し、かつデアクティベート状態で構成された追加キャリアとするようＵＥに指示する。
【００８６】
ＵＥが追加キャリアの置換オペレーションを完了したあと、任意に、置換完了の指示信号が基地局に返されてもよい。置換完了指示信号は、ＲＲＣ信号（例えばＲＲＣ  接続再構成完了信号）であってもよい。なお、本発明は、これに限定されない。
【００８７】
なお、任意に図７に示すように、本発明によるキャリアマネージメントを実行する方法は、また、以下のステップを有してもよい。
【００８８】
ＵＥのサービス接続の間、所定の閾値より低い信号品質を有する追加キャリアがダウンリンクキャリアセットの中に存在すると判断される場合、基地局はダウンリンクキャリアセットから所定の閾値より低い信号品質を有する追加キャリアを解除し、かつ対応する解除オペレーションをＵＥに実行させるために、解除指示を伝える信号をＵＥへ送信する。この場合、所定の閾値より低い信号品質強度の追加キャリアがダウンリンクキャリアセットの中に存在することを決定するステップは、ＵＥからの測定報告に基づき、又は、ＵＥが追加キャリア１のカバレッジレンジから外に移動した場合にＵＥからの測定報告が正常に受信されることができないという事実に従って、所定の閾値より低い強度の信号品質を有する追加キャリアが、ダウンリンクキャリアセットの中に存在することを決定するステップを有する。解除指示を送信する信号はＲＲＣ信号（例えばＲＲＣ  接続再構成信号）であってもよい。しかしながら、これに制限されることはなく、他のＲＲＣ、又は、非ＲＲＣ信号であってもよい。
【００８９】
ＲＲＣ信号（すなわち解除指示）に含まれる情報は、解除された追加キャリアの周波数を含んでもよい。なお、これに限定されるものではない。ＲＲＣ信号を受信した後に、ＵＥは、ダウンリンクキャリアセットの情報を更新する。
任意に、対応する追加キャリアが解除されたあと、解除完了応答信号がＵＥに返されてもよい。解除完了応答信号は、ＲＲＣ信号（例えばＲＲＣ  接続再構成完了信号）であってもよい。なお、これに限定されるものではない。
【００９０】
キャリアマネージメントを実行するための上記の方法において、追加キャリア及びＵＥのダウンリンクトラフィック量の変更の測定結果に従って、追加キャリアの構成（ｃｏｎｆｉｇｕｒａｔｉｏｎ）、アクティベーション、デアクティベーション及び再構成（置換及び解除を含む）の方法は、基地局側で実行されてもよいＵＥ側で、ダウンリンク信号（潜在的な信号を含む）に従って、追加キャリアの信号受付品質が測定されてもよく、追加キャリアのＰＤＣＣＨの制御情報、及びＰＤＳＣＨのデータの受信が制御されてもよい。
【００９１】
加えて、よりよくＵＥにパワーを温存しておくために、本発明によるキャリアマネージメントを実行する方法は、ＵＥからのトラフィック量要求に応じて追加キャリアをアクティベート及びデアクティベートしてもよい。
【００９２】
本発明によるキャリアマネージメントを実行する方法は、具体例を用いて以下の通りに詳細に記載されている。
【００９３】
ＬＴＥ−Ａのキャリア・アグリゲーション・システムが４つのキャリア（キャリア０〜３）で提供され、かつＵＥは多くても３つのキャリアの同時のデータ送受信をサポートすると仮定する。
図８は、本発明の一実施例に従って、キャリア・マネージメント・フローを示している。
【００９４】
ＵＥがプライマリキャリア０によるサービス接続をセットアップし、かつセキュリティーモードをアクティベートさせたあと、基地局はＵＥのための追加キャリア測定指示情報を構成し、かつＵＥにＲＲＣ  接続再構成信号による追加キャリア測定指示情報を知らせる。追加キャリア測定指示情報は、測定される追加キャリア１〜３の振動数及びバンド幅、測定間隔、及び３つの追加キャリアの測定結果報告サイクル等を含んでもよい。この種の情報を受信した後に、ＵＥは、プライマリキャリア０のトランシーバを介した追加キャリアの信号品質を測定し、ＲＲＣ  接続再構成完了信号を介して測定結果を基地局に周期的に報告する。
【００９５】
ｔ１のタイミングで、ＵＥのダウンリンクトラフィック量が増加した場合であって、プライマリキャリア０がダウンリンクトラフィック量のデータレートの要求を満たさない場合、基地局はＵＥから受信される追加キャリアのための測定報告に従って、最適信号品質の追加キャリアを有するＵＥを構成する。本実施例において、このタイミングの最適信号品質の追加キャリアが追加キャリア１であると仮定して、基地局は、ＵＥのための追加キャリア１を構成し、かつアクティベートさせて、かつＵＥに、ＲＲＣ  接続再構成信号による追加キャリア１の対応する構成オペレーションを実行するよう指示する。ＲＲＣ  接続再構成信号は、周波数、バンド幅、追加キャリア１及び専用の無線リソース構成情報等を含んでもよい。一方、基地局は、追加キャリア１を基地局によって記録されるＵＥのダウンリンクキャリアセットに加える。そして、基地局によって記録されるＵＥのダウンリンクキャリアセットは、プライマリキャリア０及び追加キャリア１を含む。ＲＲＣ  接続再構成信号を受信した後に、ＵＥは、新規な追加キャリアが基地局によって、それのために構成されたことを発見する。そして、それは信号に含まれる情報に従って、追加キャリア１を構成し、かつ直ちに追加キャリア１をアクティベートさせる。これによって、制御情報及びデータを、追加キャリア１のそれぞれＰＤＣＣＨ及びＰＤＳＣＨによって受信し始める。
この場合、任意に、ＵＥは、構成オペレーションが完了したことを示すために、基地局に応答信号（例えばＲＲＣ  接続再構成完了信号）を返してもよい。ＵＥは、また、ダウンリンクキャリアセットに追加キャリア１を加える。その時、ＵＥによって記録されるダウンリンクキャリアセットは、プライマリキャリア０及び追加キャリア１を含む。
【００９６】
追加キャリア１がアクティベートされたあと、基地局及びＵＥはタイマ１を追加キャリア１に対して設定する。追加キャリア１がアクティベートされている期間において、基地局は、ＵＥのための制御情報がＰＤＣＣＨで送信されるか、又は、データがＰＤＳＣＨで送信されるたびに、タイマをリスタートさせる。一方、ＵＥは、制御情報がＰＤＣＣＨで受信されるか、又は、データがＰＤＳＣＨで受信されるたびに、タイマをリスタートさせる。ｔ２のタイミングで、ＵＥのダウンリンクトラフィック量が減少した場合、継続したＸ個のＤＲＸサイクルにおいて、追加キャリア１で、基地局がＵＥのためのいかなる制御情報、又は、データをも送信しない場合、基地局はＵＥのための追加キャリア１をデアクティベートし、かつ対応するタイマを削除する。同様に、追加キャリア１で、継続したＸ個のＤＲＸサイクルにおいて、ＵＥがいかなる制御情報、又は、データをも受信しない場合、ＵＥは追加キャリア１をデアクティベートし、かつ対応するタイマを削除する。タイマは、基地局側及びＵＥ側で同期しているため、追加キャリア１は基地局及びＵＥによって同時にデアクティベートされる。
【００９７】
それから、ＵＥのダウンリンクキャリアセットが２つのキャリア（すなわちプライマリキャリア０及び追加キャリア１）を含み、サービス接続プロセスの間、プライマリキャリア０だけがアクティベートされた状態であるときを想定する。ｔ３のタイミングで、ＵＥのダウンリンクトラフィック量が再び増加した場合であって、プライマリキャリア０がデータレートの要求を満たさない場合、基地局は追加キャリア１をアクティベートさせてもよく、追加キャリア１をもアクティベートさせるためにＭＡＣ信号によってＵＥに通知してもよい。ＭＡＣ信号は、ＭＡＣプロトコル・データ・ユニット（ＰＤＵ）である。実施例のＬＴＥ−Ａのために使用されるＭＡＣ  ＰＤＵのフォーマットは、ＬＴＥシステムのＭＡＣ  ＰＤＵのフォーマットに関連し、以下の通りである。
【００９８】
図９は、ＬＴＥシステムのＭＡＣ  ＰＤＵフォーマットである。図９に示すように、ＭＡＣ  ＰＤＵは、ＭＡＣヘッダ及びＭＡＣペイロードを含む。この場合、ＭＡＣヘッダは、複数のＭＡＣ  サブヘッダを含み、ＭＡＣペイロードは複数のＭＡＣ制御要素（ＣＥ）及び複数のＭＡＣサービスデータユニット（ＳＤＵ）を含む。そして各々のＭＡＣ  サブヘッダは１つのＭＡＣ  ＣＥ、又は、ＭＡＣ  ＳＤＵに対応する。ＭＡＣヘッダの値が「１１１１０」である場合、それはサブヘッダに対応するＭＡＣ  ＣＥが０ビットのサイズを有するＤＲＸ命令ＭＡＣ  ＣＥであることを意味する。図１０は、本発明の一実施例によるＬＴＥ−Ａのために使用されるキャリア・アグリゲーション・システムのＭＡＣ信号のＭＡＣ  ＰＤＵの一例を示す。本発明において提案されるＭＡＣ  ＰＤＵは、ＬＴＥシステムにおけるそれと、以下のように異なる。本発明のＭＡＣ  ＰＤＵは、ＤＲＸ命令ＭＡＣ  ＣＥを１バイト長さとする。１バイトは、予約のビット（Ｒ）及び利用可能ビット（Ａ）を含む。利用可能ビットの数は、ＵＥのダウンリンクキャリアセットのキャリアのそれに等しい。そして、残りのビットは予約のビットである。本実施例において、利用可能ビットのデフォルト値は、０（本願明細書において、０は単なる例であり、１であることも可能である）である。例えば、左から右の利用可能ビットは、周波数範囲を有するキャリアに、ダウンリンクキャリアセットの低周波から高周波に、それぞれ１つ１つ対応している（本明細書における、低周波から高周波の周波数範囲の順は、単なる例示である。そして、左から右への利用可能ビットは、それぞれ、ダウンリンクキャリアセットの周波数範囲の高周波から低周波のキャリアに１対１に対応している）。利用可能ビットの中で、プライマリキャリアに対応するものの所定の値（例えば１）はＤＲＸ命令を示すために使用され、かつダウンリンクキャリアセットの追加キャリアに対応する利用可能ビットは対応する追加キャリアのアクティベーションオペレーションを実行するべきか否かを、指し示すために使用される。例えば、プライマリキャリアに対応する利用可能ビットの値が１としてセットされる場合、意味はＬＴＥシステムのＤＲＸ命令ＭＡＣ  ＣＥのそれと同様で、かつＵＥの全てのアクティベートするキャリアに適応可能である。ＤＲＸ命令ＭＡＣ  ＣＥの詳細な意味は、３ＧＰＰ  ＴＳ  ３６．３２１に関連し得る。本実施例において、ＵＥのダウンリンクキャリアセットは、２つのキャリアを含む。すなわち、プライマリキャリア０及び追加キャリア１である。更にプライマリキャリア０の周波数範囲が追加キャリア１のそれより低いと仮定した場合、現在のタイミングのＭＡＣ  ＰＤＵのキャリア・アクティベーションに関連するサブヘッダ及びＤＲＸ命令ＭＡＣ  ＣＥのコンテンツは、それぞれ、「１１１１０」及び「０００００００１」である。この場合、サブヘッダの値「１１１１０」は、サブヘッダに対応するＭＡＣ  ＣＥがＤＲＸ命令ＭＡＣ  ＣＥであることを意味する。ＤＲＸ命令ＭＡＣ  ＣＥにおいて、Ａ１の値は１である。そして、これはＵＥが追加キャリア１をアクティベートさせることを必要とする。そして、Ａ０の値は０である。そして、これはＤＲＸ命令ＭＡＣ  ＣＥの受信の後、ＬＴＥシステムでなされるオペレーションと同様に、ＵＥは、アクティベートしているプライマリキャリア０及び追加キャリア１に、オペレーションを実行する必要はないことを意味する。追加キャリア１をアクティベートさせるために指示する信号を受信した後に、ＵＥは、キャリア１をアクティベートさせ、制御情報及びデータを、追加キャリア１のそれぞれ、ＰＤＣＣＨ及びＰＤＳＣＨで受信し始める。追加キャリア１がアクティベートされたあと、基地局及びＵＥはタイマ１を追加キャリアに設定する。
【００９９】
ＬＴＥ−Ａは、１つのキャリアのスケジュールに他のキャリアを使用することをサポートできる。すなわち、１つのキャリアのＰＤＣＣＨを使用して、他のキャリアのリソーススケジューリング情報を送信することができるため、ＵＥが追加キャリア１をアクティベートする場合、基地局は、追加キャリア１におけるＵＥのチャネル品質指標（ＣＱＩ：Ｃｈａｎｎｅｌ  Ｑｕａｌｉｔｙ  Ｉｎｄｉｃａｔｉｏｎ）に従って、追加キャリア１のＰＤＣＣＨをモニタし続けるか否かを、ＵＥに通知してもよい。例えば、追加キャリア１のＣＱＩが劣っている場合、基地局はプライマリキャリア０を追加キャリア１にスケジュールするよう決めてもよい。すなわち、追加キャリア１のＰＤＣＣＨのリソース・スケジュール情報を送信する代わりに、プライマリキャリア０のＰＤＣＣＨによって追加キャリア１のためのリソース・スケジュール情報を送信する。その場合、図１０に示すように、基地局は、また、ＭＡＣ  ＰＤＵにより追加キャリア１のＰＤＣＣＨをモニタし続けるか否かを、ＵＥに通知することができる。違いとしては、追加キャリア１がアクティベートされた状態であり、かつＵＥが追加キャリア１のＰＤＣＣＨをモニタする場合、１としてのＡ１の値は、ＵＥが、追加キャリア１がアクティベートされた期間の間の後に追加キャリア１のＰＤＣＣＨをモニタする必要はないことを意味する。ＭＡＣ  ＰＤＵを受信した後に、ＵＥは、追加キャリア１のＰＤＣＣＨ上のブラインド検出を停止し、かつ追加キャリア１のＰＤＳＣＨに関するデータだけを受信する。追加キャリア１がアクティベートされた状態であり、かつＵＥが追加キャリア１のＰＤＣＣＨをモニタしない場合、１としてのＡ１の値はＵＥが追加キャリア１のＰＤＣＣＨをモニタすることを必要とすることを意味する。ＭＡＣ  ＰＤＵを受信した後に、ＵＥは、追加キャリア１のＰＤＣＣＨをモニタし始める。
【０１００】
ｔ４のタイミングで、トラフィック量が再び増加した場合であって、アクティベートするプライマリキャリア０及び追加キャリア１がデータレートの要求を満たさない場合、基地局はＵＥの最新の受信された測定報告に従って、ＵＥのための最適信号品質の追加キャリアを再選択し、かつ再構成する。本実施例において、そのタイミングの最適な追加キャリアが追加キャリア２であると仮定される。次に、追加キャリア１を構成し、かつアクティベートさせる上述した方法と同様に、基地局は、ＵＥのための追加キャリア２を構成し、かつアクティベートさせ、かつ周波数、追加キャリア２のバンド幅、専用の無線資源配分情報、などを含み得るＲＲＣ  接続再構成信号による対応するオペレーション（追加キャリア２を構成し、かつアクティベートさせる）をＵＥに実行するよう指示する。一方、基地局は、追加キャリア２をＵＥのダウンリンクキャリアセットに加える。
ＲＲＣ  接続再構成信号を受信した後に、ＵＥは、新規な追加キャリア２が基地局によってそれのために構成されることを発見する。そうすると、それはＲＲＣ  接続再構成信号の情報に従って追加キャリア２を構成し、かつ直ちに追加キャリア２をアクティベートさせる。これによって、制御情報及びデータを、追加キャリア２のそれぞれＰＤＣＣＨ及びＰＤＳＣＨによって受信し始める。
この場合、任意に、ＵＥは、構成オペレーションが完了されたことを示すために、基地局に応答信号（例えばＲＲＣ  接続再構成完了信号）を返してもよい。ＵＥは、また、追加キャリア２をダウンリンクキャリアセットに加える。追加キャリア２がアクティベートされたあと、基地局及びＵＥは追加キャリア２にタイマ２を設定する。
【０１０１】
ｔ５のタイミングで、ＵＥのダウンリンクトラフィック量が減少した場合であって、基地局及びＵＥがいかなる制御情報、又は、データも、それぞれ、追加キャリア１及び追加キャリア２における継続したＸ個のＤＲＸサイクルで送信せず、又は、受信しない場合、基地局及びＵＥは同時に追加キャリア１及び追加キャリア２をデアクティベートし、かつ対応するタイマを削除する。
【０１０２】
ｔ６のタイミングで、追加キャリア３の信号品質が追加キャリア２のそれより良好な場合、基地局は、ダウンリンクキャリアセットにおいて追加キャリア２を良好な信号品質の追加キャリア３に置換することによって追加キャリア置換を実行し、かつＲＲＣ  接続再構成信号を介して、ＵＥに対応する追加キャリア再構成を実行することを指示するためにＵＥの測定報告に基づいて、ＵＥの追加キャリアを再構成する。その場合、ＲＲＣ  接続再構成信号によって伝えられる情報は、置換された追加キャリア２の周波数、置換する追加キャリア３の周波数、置換する追加キャリア３のバンド幅、及び専用の無線資源配分情報等を含む。信号を受信した後に、ＵＥは、追加キャリアの置換を実行し、かつダウンリンクキャリアセットの情報を更新する。そして、ＵＥのダウンリンクキャリアセットは、プライマリキャリア０、追加キャリア１及び追加キャリア３を含む。追加キャリア２が置換のタイミングデアクティベートされている場合、ＵＥはＲＲＣ  接続再構成信号を受信した後に追加キャリア３を構成し、かつアクティベートさせる。追加キャリア２が置換のタイミングでデアクティベートされている場合、ＵＥはＲＲＣ  接続再構成信号を受信した後にそれをアクティベートさせることなく、追加キャリア３を構成する。ダウンリンクキャリアセットを更新した後に、ＵＥは、基地局に応答信号（例えばＲＲＣ  接続再構成完了信号）を返してもよい。
【０１０３】
ｔ７のタイミングで、追加キャリア１のカバレッジレンジから外に移動した後、ＵＥは、その追加キャリアのいかなるサービスも受け入れ続けることができない。その場合、ＵＥの測定報告を受信することができないので、基地局はＵＥに設定されるダウンリンクキャリアを変更し、かつＲＲＣ  接続再構成信号によってＵＥに通知する。ＲＲＣ  接続再構成信号に含まれる情報は、解除された追加キャリア１などの周波数を含む。信号を受信した後に、ダウンリンクキャリアセットから追加キャリア１を解除するために、ＵＥは、ダウンリンクキャリアセットの情報を更新する。解除が完了されたあと、ＵＥは基地局に応答信号（例えばＲＲＣ  接続再構成完了信号）を返してもよい。そして、ＵＥのダウンリンクキャリアセットは、プライマリキャリア０及び追加キャリア３を含むこととなる。
【０１０４】
上述のように例示として、単に１つの基地局及び１つのＵＥによって、キャリア・アグリゲーション・システムのキャリアマネージメントを実行する方法を記載した。実際のキャリア・アグリゲーション・システムは、一つ以上の基地局（一つ以上のＵＥｓに対応する各々）を含んでもよい。
キャリアマネージメントを実行する上記の方法は、対応する各々の基地局及び各々のＵＥに適している。
【０１０５】
前記実施例（構成の方法）では、ＵＥのダウンリンクトラフィック量の変更及びその測定結果に従って、追加キャリアのアクティベーション、（置換及び解除を含む）デアクティベーション及び再構成は、基地局側で実行される。ＵＥ側で、ダウンリンク信号に従って、追加キャリアの信号受信品質が測定されてもよく、追加キャリアのＰＤＣＣＨの制御情報及びＰＤＳＣＨのデータの受信が制御されてもよい。加えて、本発明によるキャリアマネージメントを実行する方法は、データ送信遅延及びＵＥの電力消費を減少させることができる。
【０１０６】
更に、本発明の実施例は、基地局がキャリア・アグリゲーション・システムのキャリアマネージメントを実行することを提供する。図１１は、本発明の実施例の基地局１１のブロック図を示す。図１１は本発明の解決案に密接に関連している構造のみを例示する。そして、基地局１１は以下を含む。
【０１０７】
測定指示信号生成ユニット１１００は、追加キャリア測定指示を送信する信号を生成する。これは、ＲＲＣ信号であることが望ましい。
【０１０８】
トラフィック量検出ユニット１１１０は、ＵＥのダウンリンクトラフィック量を検出するよう構成される。
【０１０９】
受信ユニット１１２０は、ＵＥから追加キャリア測定報告を受信するように構成される。
【０１１０】
構成ユニット１１３０は、ＵＥのダウンリンクトラフィック量の増加が、記録された現在のＵＥのキャリアセットのキャリアダウンリンク・トラフィック量のデータレートの要求を満たさないと、トラフィック量検出ユニットが検出した場合、受信ユニットによって受信された追加キャリア測定報告に従って、ＵＥのための追加キャリア構成オペレーションを実行するように構成される。追加キャリア構成オペレーションは、少なくとも１つの追加キャリアを構成しかつアクティベートするステップ、及び、ダウンリンクキャリアセットに少なくとも１つの追加キャリアを追加するステップを含む。
【０１１１】
構成指示信号生成ユニット１１４０は、ＵＥに対応する構成オペレーションを実行するよう指示するために構成指示を送信する信号を生成するように構成される。構成指示を送信する信号は、好ましくはＲＲＣ信号である。
【０１１２】
送信ユニット１１５０は、追加キャリア測定指示を送信する信号及び構成指示を送信する信号を送信するように構成される。
【０１１３】
本発明の実施例に記載されているさまざまな部分は、ハードウェア、ソフトウェア、ファームウェア、又は、これらの組合せで実行されてもよいことが理解される。
【０１１４】
本発明の実施例に記載されている基地局の２つ以上のユニットが１つのユニットに融合されてもよいことが理解される。そして、本発明のインプリメンテーションに影響させずに、各々のユニットはまた、複数のサブユニットに分けられてもよい。
【０１１５】
図１２に示したように、本発明の他の実施例において、更なる上記の基地局１１は、以下を備えている。
【０１１６】
デアクティベーション処理ユニット１１６０は、ＵＥのダウンリンクトラフィック量が減少した場合、ＵＥのダウンリンクトラフィック量に従って、ＵＥに対して少なくとも１つのアクティベートされた追加キャリアのデアクティベーションオペレーションを実行する。例えば、制御情報、又は、データが連続してＤＲＸサイクルの所定の数（例えばＸ個、Ｘは１より大きい整数が望ましいが、それに限られない）でダウンリンクキャリアセットの少なくとも一つのアクティベートする追加キャリアに送信されないときに、デアクティベーション処理ユニット１１６０はＵＥのダウンリンクトラフィック量に従ってＵＥのための少なくとも一つのアクティベートする追加キャリアのデアクティベーションオペレーションを実行してもよい。
【０１１７】
本発明の他の一実施例において、上記の基地局１１は、更に以下を備えている。
【０１１８】
ＵＥのダウンリンクトラフィック量が増加した場合であって、ＵＥの記録された現在のダウンリンクキャリアセットのキャリアがダウンリンクトラフィック量のバンド幅の要求を満たす場合、アクティベーション処理ユニット１１７０は、ＵＥのためのダウンリンクキャリアセットの少なくとも一つのデアクティベートされた追加キャリアのアクティベーションオペレーションを実行するよう構成される。
【０１１９】
アクティベーション指示信号生成ユニット１１８０は、アクティベーション指示を送信する信号を生成するように構成される。
【０１２０】
この場合、送信ユニット１１５０は、ＵＥに対応するアクティベーションオペレーションを実行させるためのアクティベーション指示を伝える信号をＵＥへ送信するように更に構成される。
【０１２１】
本発明の好ましい実施例において、アクティベーション指示信号生成ユニット１１８０によって生成されるアクティベーション指示を送信する信号は、ＭＡＣ  ＰＤＵを有するＭＡＣ信号である。ＭＡＣ  ＰＤＵは、ＭＡＣヘッダ及びＭＡＣペイロードを含む。ここで、ＭＡＣペイロードは所定のサイズのＤＲＸ命令ＭＡＣ  ＣＥを含む。そして、それは利用可能ビット及び予約のビットを含む。各々の利用可能ビットはＵＥのダウンリンクキャリアセットの各々のキャリアに対応する。そしてアクティベーション指示はダウンリンクキャリアセットの少なくとも一つのデアクティベートされた追加キャリアに対応する利用可能ビットの所定の値である。
【０１２２】
本発明の他の実施例において、上記の基地局は、更に以下を備えている。
【０１２３】
モニタリング指示信号生成ユニット１１９０は、モニタリング指示を送信する信号を生成するように構成される。
【０１２４】
その場合、送信ユニット１１５０は、ダウンリンクキャリアセットの少なくとも１つのアクティベートされた追加キャリアのＰＤＣＣＨをモニタするか否かを、ＵＥに示すためのモニタリング指示をＵＥへ送信する信号を送信するように更に構成される。
【０１２５】
本発明の好ましい実施例において、モニタリング指示信号生成ユニット１１９０によって生成されるモニタリング指示を送信する信号は、ＭＡＣ  ＰＤＵを有するＭＡＣ信号である。ＭＡＣ  ＰＤＵは、ＭＡＣヘッダ及びＭＡＣペイロードを含む。ここで、ＭＡＣペイロードは所定のサイズのＤＲＸ命令ＭＡＣ  ＣＥを含む。そして、それは利用可能ビット及び予約のビットを含む。
各々の利用可能ビットはＵＥのダウンリンクキャリアセットの各々のキャリアに対応し、かつモニタリング指示はダウンリンクキャリアセットの少なくとも一つのアクティベートする追加キャリアに対応する、利用可能ビットの所定の値である。
【０１２６】
本発明の他の実施例において、更なる上記の基地局は、以下を備えている。
【０１２７】
キャリア置換ユニット１２００は、良好な信号の追加キャリアがダウンリンクキャリアセット以外に存在すると判断された場合、ＵＥのサービス接続の間、最悪の信号品質の追加キャリアを、ダウンリンクキャリアセットの品質以外の、より良好な信号品質の追加キャリアと、ダウンリンクキャリアセットとを置換するように構成される。より良好な信号品質の前記追加キャリアは、前記ダウンリンクキャリアセットの少なくとも１つの追加キャリアの信号品質より、より良好な信号品質を有する追加キャリアである。
【０１２８】
置換指示信号生成ユニット１２１０は、置換指示を伝える信号を生成する。これは、ＲＲＣ信号が望ましい。
【０１２９】
その場合、送信ユニットは、ＵＥが対応する置換を実行することを指示するために置換指示（例えばＲＲＣ信号）を伝える信号をＵＥへ送信するように更に構成される。
【０１３０】
本発明の他の実施例において上記の基地局は、更に以下を備えている。
【０１３１】
解除処理ユニット１２２０は、ＵＥのサービス接続の間、測定報告に従って、所定の閾値より低い信号品質強度を有する追加キャリアがダウンリンクキャリアセットの中に存在すると判断される場合、ダウンリンクキャリアセットから、所定の閾値より低い信号品質強度を有する追加キャリアを解除する。
【０１３２】
解除指示信号生成ユニット１２３０は、解除指示を伝える信号を生成するように構成される。それは好ましくはＲＲＣ信号である。
【０１３３】
その場合、送信ユニットは、対応する解除オペレーションを実行するためにＵＥに解除指示（例えばＲＲＣ信号）を伝える信号をＵＥに送信するように更に構成される。
【０１３４】
したがって、更なる本発明の実施例は、基地局と通信するＵＥ  １３を提供する。従来のＵＥの構造及び機能に加えて図１３に示したように、ＵＥは以下の構造を更に含む。
【０１３５】
構成処理ユニット１３００は、ダウンリンクトラフィック量が増加した場合、基地局からの構成指示を伝える信号にしたがって、追加キャリア構成オペレーションを実行する。追加キャリア構成オペレーションは、一つの追加キャリアを構成し、かつアクティベートさせることと、少なくとも一つの追加キャリアをダウンリンクキャリアセットに加えることとを含むよう構成される。
【０１３６】
デアクティベーション処理ユニット１３１０は、ダウンリンクトラフィック量が減少した場合であって、ダウンリンクキャリアセットの少なくとも１つの追加キャリアのためのデアクティベーション指示が基地局から受信された場合、又は、制御情報、又は、データが連続して、ＤＲＸサイクルの所定の回数（例えばＸ回、Ｘは１より大きい整数が望ましいがこれに限られない）の間、ダウンリンクキャリアセットの少なくとも一つの追加キャリアおいて受信されない場合、ダウンリンクキャリアセットの少なくとも一つのアクティベートされた追加キャリアのデアクティベーションオペレーションを実行するよう構成される。
【０１３７】
本発明の他の実施例において、上記のＵＥ  １３は、更に以下を備えている。
【０１３８】
受信ユニット１３２０は、基地局からＭＡＣ信号を受信するように構成される。
【０１３９】
アクティベーション又はモニタリング処理ユニット１３３０は、ダウンリンクキャリアセットのキャリアに対応するＭＡＣ信号のビット情報に従って、追加キャリアをアクティベートさせるか、又は、アクティベートされた追加キャリアのＰＤＣＣＨをモニタするべきか否かを決定するように構成される。
【０１４０】
ＭＡＣ信号は、ＭＡＣ  ＰＤＵを含む。ＭＡＣ  ＰＤＵは、ＭＡＣヘッダ及びＭＡＣペイロードを含む。ＭＡＣペイロードは所定サイズのＤＲＸ命令ＭＡＣ  ＣＥを含む。そして、それは利用できるビット及び予約のビットを含む。利用できるビットの各々は、ＵＥのダウンリンクキャリアセットのキャリアの各々に対応する。ダウンリンクキャリアセットのいかなる追加キャリアに対しても以下のことが言える。追加キャリアに対応する利用できるビットが第１の値に設定されている場合であって、追加キャリアがデアクティベート状態である場合、アクティベーション又はモニタリング処理ユニットは、追加キャリアをアクティベートさせる。追加キャリアがアクティベートされた状態であって、かつ追加キャリアのＰＤＣＣＨをモニタしている場合、アクティベーション又はモニタリング処理ユニットは、追加キャリアのＰＤＣＣＨをモニタすることを停止する。そして、追加キャリアがアクティベートされた状態であって、かつ追加キャリアのＰＤＣＣＨをモニタしていない場合、アクティベーション又はモニタリング処理ユニットは、追加キャリアのＰＤＣＣＨをモニタし始める。
【０１４１】
本発明の他の実施例において、より良好な信号品質の追加キャリアが、ダウンリンクキャリアセット以外に存在する場合、受信ユニット１３２０は、置換指示を伝えるＲＲＣ信号を基地局から受信するように更に構成される。この場合、ＵＥ  １３は、ＲＲＣ信号に従って、ダウンリンクキャリアの最悪の信号品質の追加キャリアを、ダウンリンクキャリアセット以外の、より良好な信号品質の追加キャリアに置換するように構成された置換処理ユニット１３４０を含む。ここで、良好な信号品質の前記追加キャリアは、ダウンリンクキャリアセットの少なくとも１つの追加キャリアの信号品質より、より良い信号品質を有する追加キャリアである。
【０１４２】
本発明の他の実施例において、所定の閾値より低い信号品質強度を有する追加キャリアがダウンリンクキャリアセットの中に存在する場合、受信ユニット１３２０は解除指示を伝えるＲＲＣ信号を基地局から受信するように更に構成される。この場合、ＵＥ  １３は、所定の閾値より低い信号品質強度を有する追加キャリアを、ダウンリンクキャリアセットから解除するように構成された解除処理ユニット１３５０を更に含む。
【０１４３】
上述の実施例に示されているさまざまな部分は、ハードウェア、ソフトウェア、ファームウェア、又は、これらの組合せでインプリメントされてもよいことが理解される。
【０１４４】
前記実施例に示されているＵＥの２つ以上のユニットは、１つのユニットに併合されてもよいことが理解される。また、本発明のインプリメンテーションに影響させずに、各々のユニットが複数のサブユニットに分けられてもよい。
【０１４５】
本発明の１つの実施例に関して記載され、及び／又は、例示される特徴は、同じ、又は、類似した方法で、１つ以上の他の実施例において使用することができ、及び／又は、他の実施例の特徴を組み合わせること、又は、交換することができる。
【０１４６】
本発明の上記実施例において、ステップ、又は、方法は、メモリに記憶されるソフトウェア、又は、ファームウェアによってインプリメントすることができ、そして、適切な命令の実行システムによって実行することができる。
【０１４７】
あらゆるプロセス又は方法の記載、フローチャートにおけるブロック、又は、その他の形式での記載は、１つ以上のモジュール、セグメント、又は部分であり、特定のロジック機能又は方法のステップをインプリメントする実行可能な命令を含んでいる。そして、好ましい実施例の範囲は、他のインプリメンテーションを含む。そして、これらの機能は、記載され或いは図示された順序以外で実行されても良い。あるいは、関連する機能に基づいて実質的に同時の形で実行されても良い。或いは、逆の順序で実行されても良い。以上の点は、当業者にとっては指摘するまでもないことである。
【０１４８】
フローチャートのロジック、及び／又は、ステップ、或いは他の方法で表現されたものは、例えば、ロジック機能をインプリメントするための順序付けされた実行可能な命令のリストと捉えても良い。そして、これらは、あらゆるコンピュータ可読の媒体に格納することができる。これによって、命令実行システム、装置、或いはデバイス（例えば、コンピュータベースのシステム、プロセッサを含むシステム、命令実行システムから命令を抽出することができる他のシステム、装置、デバイス、及び命令を実行することができるものが挙げられる）において用いることができる。あるいは、これらを組み合わせて用いることができる。明細書において、「コンピュータ可読の媒体」は、あらゆる装置が当てはまる。例えば、命令実行システム、装置又はデバイス等はこれらの組合せによって利用されるプログラムの保存、通信、伝搬（ｐｒｏｐａｇａｔｅ）、或いは、送信が含まれる。コンピュータ可読の媒体としては、例えば、電子的、電磁的、光学的、電磁気的、赤外線、又は半導体システム、装置、デバイス、又は伝搬媒体が挙げられ得るが、これらに限定されるものではない。コンピュータ可読の媒体のより詳細な例示としては、１つ以上の配線を含む電気的接続部分（電気的装置）、ポータブルコンピュータディスク（磁気装置）、ランダムアクセスメモリ（ＲＡＭ）（電子的装置）、リードオンリーメモリ（ＲＯＭ）（電子的装置）、ＥＰＲＯＭ、又はフラッシュメモリ（電子的装置）、光ファイバ（光学的装置）、ＣＤＲＯＭ（光学的装置）が挙げられる。更に、プログラムは、光学的にスキャンすることができるペーパーシート、又は、プログラムが印刷された他の媒体が挙げられる。そして、プログラムは、必要に応じて、コンパイルされ、インタープリットされ、或いは他の適切な方法で処理される。そして、プログラムは、コンピュータメモリに記憶される。したがって、コンピュータ可読の媒体は、紙のシートであってもよい。或いは、プログラムが印刷された他の適切な媒体であってもよい。
【０１４９】
上述の記載及び図面は、本発明の様々な特徴を記述している。当業者であれば、適切なコンピュータコードにコンパイルすることによって、上述の記載及び図示のステップ及びプロセスをインプリメントすることができる。上述の端末、コンピュータ、サーバ、及びネットワーク等は、いかなるタイプのものであってもよく、コンピュータコードは、開示に基づいてコンパイルすることができ、これによって、本明細書に開示された装置において本発明をインプリメントすることができる。
【０１５０】
本発明の具体的な特徴は、１つ以上の例示的実施例を用いて記載されている。これらの特徴は、他の実施例の１つ以上の特徴と組み合わせることができる。これは、要求に応じて、あるいは、具体的な応用に適した形で検討して実行することができる。
【０１５１】
最後に、「含む／有する」或いは他の同義語は、非排他的包含（ｎｏｎ−ｅｘｃｌｕｓｉｖｅ  ｉｎｃｌｕｓｉｏｎ）を意味する。したがって、一連の構成要素を有する、プロセス、方法、物品、又はデバイスは、これらの構成要素を有するばかりでなく、明示的にリストアップしていない他の構成要素をも有する。或いは、プロセス、方法、物品又はデバイスに固有の要素を更に含む。
【０１５２】
図面を参照しながら、本発明の実施例の詳細を説明したが、上述の実施例は、本発明を説明するために単に採用されたものであり、本発明を限定するためのものではない。当業者であれば、本発明の要旨及び範囲を逸脱することなく、上述の実施例の様々な変形を実行することができるであろう。したがって、本発明の範囲は、添付の請求項及びその均等物のみによって定義される。
【図１】
0005644969.tif 000002
【図２】
0005644969.tif 000003
【図３】
0005644969.tif 000004
【図４】
0005644969.tif 000005
【図５】
0005644969.tif 000006
【図６】
0005644969.tif 000007
【図７】
0005644969.tif 000008
【図８】
0005644969.tif 000009
【図９】
0005644969.tif 000010
【図１０】
0005644969.tif 000011
【図１１】
0005644969.tif 000012
【図１２】
0005644969.tif 000013
【図１３】
0005644969.tif 000014